(57)【要約】      （修正有）【課題】消化活動が終了した後の柔軟管を減圧させて漏水が発生することを防ぐことができる上、霧状の水で迅速に消化活動を行い、軽量で使い易いウォーターミスト消化器を提供する。【解決手段】ウォーターミスト消火器は、蓄電体１２と電気的に接続された電動モータ１１を有する本体１と、本体１の内部に配置され、水を貯蔵する水タンク２と、泡状液体を貯蔵する泡タンク２’と、本体１の内部又は外部に配置され、一方の端部が水タンク２と接続された柔軟管３と、柔軟管３の他方の端部と接続され、放水スイッチ及びノズルを有するスプレーガン４と、本体１の外側に配置され、本体１に配置された電動モータ１１と電気的に接続され、スプレーガン４を載架したときに接触されるマイクロスイッチを有する支持装置５と、本体１の外側に配置され、本体１の蓄電体１２と電気的に接続された照明装置６とを備えたものである。【選択図】図１
0003164035.tif 000002
【実用新案登録請求の範囲】
【請求項１】
蓄電体と電気的に接続された電動モータを有する本体と、
前記本体の内部に配置され、水を貯蔵する水タンクと、
前記本体の内部に配置され、泡状液体を貯蔵する泡タンクと、
前記本体の内部又は外部に配置され、一方の端部が前記水タンクと接続された柔軟管と、
前記柔軟管の他方の端部と接続され、放水スイッチ及びノズルを有するスプレーガンと、
前記本体の外側に配置され、前記本体に配置された電動モータと電気的に接続され、前記スプレーガンを載架したときに接触されるマイクロスイッチを有する支持装置と、
前記本体の外側に配置され、前記本体の前記蓄電体と電気的に接続された照明装置とを備えることを特徴とするウォーターミスト消火器。
【請求項２】
前記蓄電体は、直流式の二次電池であり、独立電源と電気的に接続されていることを特徴とする請求項１に記載のウォーターミスト消火器。
【請求項３】
前記支持装置の上に前記スプレーガンが載架されると、前記マイクロスイッチが押圧され、前記電動モータへの電気供給が遮断され、前記電動モータの作動が停止することを特徴とする請求項１に記載のウォーターミスト消火器。
【請求項４】
前記支持装置から前記スプレーガンが取り出されると、前記マイクロスイッチがリリースされ、前記電動モータが導通状態となることを特徴とする請求項１に記載のウォーターミスト消火器。
【請求項５】
前記電動モータが導通状態になると、前記水タンクの中の液体が瞬間的に所定圧力まで加圧され、前記柔軟管に注水を開始することを特徴とする請求項４に記載のウォーターミスト消火器。
【請求項６】
前記スプレーガンの前記放水スイッチを押圧すると、前記水タンク内の液体が前記柔軟管を介して前記スプレーガンの前記ノズルから放水され、前記電動モータが運転し続けるため、所定圧力に維持されることを特徴とする請求項５に記載のウォーターミスト消火器。
【請求項７】
前記スプレーガンの前記ノズルから放水される液体は霧状であることを特徴とする請求項６に記載のウォーターミスト消火器。
【請求項８】
前記スプレーガンの前記ノズルから放水される液体は泡状であることを特徴とする請求項６に記載のウォーターミスト消火器。
【請求項９】
前記スプレーガンの前記放水スイッチをリリースすると、前記水タンク内の液体が前記スプレーガンの前記ノズルから放水されることを停止することを特徴とする請求項６に記載のウォーターミスト消火器。
【請求項１０】
前記支持装置の上に前記スプレーガンが載架されると、前記マイクロスイッチが押圧され、前記電動モータの作動が停止し、前記柔軟管が減圧することを特徴とする請求項１に記載のウォーターミスト消火器。
【請求項１１】
前記照明装置は、３６０度回動することを特徴とする請求項１に記載のウォーターミスト消火器。
【考案の詳細な説明】
【技術分野】
【０００１】
本考案は、移動式消火システムに関するものであり、さらに詳しくは、ウォーターミストによる消火方式により消火活動を行うウォーターミスト消火器に関するものである。
【背景技術】
【０００２】
従来の消防設備には、消火器の他、火災が発生したことを探知すると、散水を始める自動感知散水消火システムが設けられている。この自動感知散水消火システムは、各階層の天井に散水用ノズルと、温度又は煙を検知するセンサとが取り付けられ、自動散水設備の管路に接続され、建物内で火災が発生した場合、センサが温度又は煙の量を検出し、検出値が設定値より高い場合、自動的に検知して自動散水設備を起動し、散水により消火活動を行う。
【０００３】
しかし、使用する消火システムの圧力管の中では、一般に未使用状態でも所定圧力が保持されているので、漏水することがあった。さらに、センサは一般に故障率が高く、感度が実際の状況に合致せず、散水装置を備えた場所で火災が発生して多くの死傷者が出る虞があった。
【考案の開示】
【考案が解決しようとする課題】
【０００４】
従って、本考案の課題は、使用が終了したスプレーガンを支持装置の上に載架すると、マイクロスイッチが押圧されて本体の電動モータを制御し、消火活動が終了した後の柔軟管を減圧させて漏水が発生することを防ぐことができる上、霧状の水で迅速に消火活動を行い、軽量で使い易いウォーターミスト消火器を提供することにある。
【０００５】
本考案のもう一つの課題は、繰り返して充放電することができる蓄電体に電力を供給し、本体の機動性を大幅に高めることにより、外部の電源供給に障害が発生して消火活動が中断されることを防ぐとともに、照明装置により全方位を照らすことにより火災発生現場の状況を把握して迅速に火災活動を行うことができるウォーターミスト消火器を提供することにある。
【課題を解決するための手段】
【０００６】
上記課題を解決するために、本考案によれば、蓄電体と電気的に接続された電動モータを有する本体と、前記本体の内部に配置され、水を貯蔵する水タンクと、前記本体の内部に配置され、泡状液体を貯蔵する泡タンクと、前記本体の内部又は外部に配置され、一方の端部が前記水タンクと接続された柔軟管と、前記柔軟管の他方の端部と接続され、放水スイッチ及びノズルを有するスプレーガンと、前記本体の外側に配置され、前記本体に配置された電動モータと電気的に接続され、前記スプレーガンを載架したときに接触されるマイクロスイッチを有する支持装置と、前記本体の外側に配置され、前記本体の前記蓄電体と電気的に接続された照明装置とを備えることを特徴とするウォーターミスト消火器が提供される。
【０００７】
前記蓄電体は、直流式の二次電池であり、独立電源と電気的に接続されていることが好ましい。
【０００８】
前記支持装置の上に前記スプレーガンが載架されると、前記マイクロスイッチが押圧され、前記電動モータへの電気供給が遮断され、前記電動モータの作動が停止することが好ましい。
【０００９】
前記支持装置から前記スプレーガンが取り出されると、前記マイクロスイッチがリリースされ、前記電動モータが導通状態となることが好ましい。
【００１０】
前記電動モータが導通状態になると、前記水タンクの中の液体が瞬間的に所定圧力まで加圧され、前記柔軟管に注水を開始することが好ましい。
【００１１】
前記スプレーガンの前記放水スイッチを押圧すると、前記水タンク内の液体が前記柔軟管を介して前記スプレーガンの前記ノズルから放水され、前記電動モータが運転し続けるため、所定圧力に維持されることが好ましい。
【００１２】
前記スプレーガンの前記ノズルから放水される液体は霧状であることが好ましい。
【００１３】
前記スプレーガンの前記ノズルから放水される液体は泡状であることが好ましい。
【００１４】
前記スプレーガンの前記放水スイッチをリリースすると、前記水タンク内の液体が前記スプレーガンの前記ノズルから放水されることを停止することが好ましい。
【００１５】
前記支持装置の上に前記スプレーガンが載架されると、前記マイクロスイッチが押圧され、前記電動モータの作動が停止し、前記柔軟管が減圧することが好ましい。
【００１６】
前記照明装置は、３６０度回動することが好ましい。
【考案の効果】
【００１７】
本考案のウォーターミスト消火器は、以下（１）及び（２）の効果を得ることができる。
（１）使用が終了したスプレーガンを支持装置の上に載架すると、マイクロスイッチが押圧され、本体の電動モータを制御し、消火活動を行った後の柔軟管を減圧させることにより漏水が発生することを防ぐことができる上、霧状の水で迅速に消火活動を行い、軽量で使い易い機能を得る。
（２）繰り返して充放電することができる蓄電体に電力を供給し、本体の機動性を大幅に高めることにより、外部の電源供給に障害が発生して消火活動が中断されることを防ぐことができる上、照明装置により全方位を照らし、火災発生現場の状況を把握して迅速に火災活動を行うことができる。
【図面の簡単な説明】
【００１８】
【図１】本考案の一実施形態によるウォーターミスト消火器を示す分解斜視図である。
【図２】本考案の一実施形態によるウォーターミスト消火器を業務用厨房へ配置した状態を示す配置図である。
【図３】本考案の一実施形態によるウォーターミスト消火器を業務用厨房の発火点を消火するときの状態を示す模式図である。
【図４】本考案の一実施形態によるウォーターミスト消火器のスプレーガンを支持装置へ載架するときの状態を示す斜視図である。
【図５】本考案の一実施形態によるウォーターミスト消火器のスプレーガンを支持装置から取り出したときの状態を示す斜視図である。
【図６】本考案の一実施形態によるウォーターミスト消火器を一般家庭の台所へ配置した状態を示す配置図である。
【考案を実施するための最良の形態】
【００１９】
以下、本考案の実施形態について図面に基づいて説明する。なお、これによって本考案が限定されるものではない。
【００２０】
図１〜図５を参照する。図１〜図５に示すように、本考案の一実施形態によるウォーターミスト消火器は、本体１、水タンク２、泡タンク２’、柔軟管３、スプレーガン４、支持装置５及び照明装置６を含む。
【００２１】
本体１は、所定の位置に配置される。所定の位置とは、本実施形態では、図２に示すように、業務用厨房Ｒの一角である。本体１は、蓄電体１２と電気的に接続された電動モータ１１を有する。電動モータ１１は、蓄電体１２からの電力供給により駆動される。本体１は、一般の電源と隔離された独立電源Ｐをさらに有する。この独立電源Ｐは、蓄電体１２を充電し、蓄電体１２がフル充電されたときに電力供給を自動的に停止する。また、蓄電体１２が自然放電により蓄電容量が所定の安全レベル以下になった場合、充電を再び開始する。これにより、蓄電体１２の蓄電容量は、電動モータ１１を作動させるのに十分に維持することができるため、火災が発生したときに停電して電動モータ１１を起動させることができなくなることを防ぐ。蓄電体１２は、直流式の二次電池であり、繰り返して充放電できるため、少なくとも１５分以上の電力供給を安全に供給することができる。
【００２２】
本実施形態は、霧状の水により消火活動を行うが、それに必要な水量はペットボトル約４本分だけである。水タンク２及び泡タンク２’は、本体１の中に配置し、水道Ｗ又は貯水槽（図示せず）に外付けすることができる。外付け方式は、一般の洗濯機と同じであるため、ここでは詳しく述べない。
【００２３】
本体１には、便利に移動させることができるように、把手部１３及び前後部の車輪１４（例えば、前部の車輪１４は方向が変化するように配置され、後部の車輪１４は、方向が固定されるように配置されている）が配置されている。蓄電体１２を充電する独立電源Ｐを分離した場合、本体１の移動距離が電動モータ１１と独立電源Ｐとを接続する接線長さにより制限されることがなくなるため、本体１を長距離移動させることができるようになり、機動性が高まる。
【００２４】
柔軟管３は、少なくとも６０キログラムの圧力に耐えられる材料（例えば、ステンレススチールなど）からなり、両端が水タンク２又は泡タンク２’及びスプレーガン４にそれぞれ接続され、本体１の内部又は外部で巻取られて配置されている。
【００２５】
スプレーガン４は、柔軟管３と接続され、図４に示すように、放水スイッチ４１を有する。スプレーガン４は、電動モータ１１により加圧した高圧液体（例えば、水）を霧状に散水することができるノズル４２を有する。スプレーガン４のノズル４２は、構造を変化させることにより、放水する液体を泡状又は霧状にしてもよい。
【００２６】
本体１の外側には、スプレーガン４を載架するために用いる支持装置５が設けられている。支持装置５は、本体１の電動モータ１１と電気的に接続されたマイクロスイッチ５１を有する（図５に示す）。
【００２７】
図４に示すように、支持装置５の上にスプレーガン４が載架されると、マイクロスイッチ５１が押圧されて電気供給が遮断され、本体１の電動モータ１１の作動が停止する。
【００２８】
スプレーガン４が複数配置されているとき、対応する支持装置５から少なくとも１つのスプレーガン４が取り出されると（図５に示す）、対応するマイクロスイッチ５１が導通状態となり、本体１の電動モータ１１が起動し、柔軟管３に注水を開始し、所定圧力になるまで加圧される。本実施形態では、この所定圧力は６０キログラムであるが、これだけに限定されるわけではない。スプレーガン４の放水スイッチ４１を押圧し、霧状の水で消火活動を行う際、本体１の電動モータ１１が作動し続け、柔軟管３に注水し続けて６０キログラムの所定圧力が維持される。消火活動が終了すると、放水スイッチ４１をリリースして元の状態に戻すことによりスプレーガン４の放水を停止し、支持装置５にスプレーガン４を載架する。マイクロスイッチ５１がスプレーガン４により押圧されると、本体１の電動モータ１１の運転が停止し、柔軟管３が減圧状態とされる。
【００２９】
図３を参照する。図３に示すように、発火地点Ｆで火災が起きた場合、本体１を発火地点Ｆへ近づけてからスプレーガン４を取り出して消火活動を行う。上述の消火方式では、スプレーガン４を取り出した際、水タンク２の中の水が本体１の電動モータ１１により所定圧力（例えば、６０キログラム）へ瞬間的に加圧され、柔軟管３への注水を開始する。このように、ユーザは、スプレーガン４の放水スイッチ４１を押圧するだけで、霧状の液体を散水して消火活動を行うことができる。また、柔軟管３の内部が高圧に維持され続けて漏水が発生することを防ぐために、使用した後のスプレーガン４を元の位置に戻してマイクロスイッチ５１を押圧し、本体１の電動モータ１１の運転を停止し、柔軟管３を減圧させる。
【００３０】
本実施形態の本体１は、独立電源Ｐに接続されているため、必要な電力を蓄電体１２に蓄電し、電動モータ１１を駆動することができる。これにより、従来、ガソリン加圧ポンプなどの駆動方式を利用し、長期間点検を行わないことなどにより、消火活動に支障をきたしていた従前の技術の問題点を解決することができる。
【００３１】
図６を参照する。図６に示すように、本考案の一実施形態によるウォーターミスト消火器を一般家庭の台所Ｈに配置する方式は、前述した業務用厨房Ｒに配置する方式と同じであり、スプレーガン４の載架方式も同じであるため、ここでは繰り返し述べない。
【００３２】
本実施形態のウォーターミスト消火器は、必要な水量が少なくて済むため全体の体積が小さく（例えば、一般家庭で使用する洗濯機と略同じサイズである）、占有空間が小さい。
【００３３】
本実施形態のウォーターミスト消火器は、柔軟管３の長さが十分に長く（一般に、１０〜３０メートルである）、本体を移動させない状況下で、柔軟管３の前端に設けられたスプレーガン４を室内の発火点まで引っ張って移動させ、迅速に消火を行うことができる。本実施形態では、霧状の水により消火活動を行うが、この霧状の水による消火原理は、水径が小さい霧状の水が発火点に散水されると、加熱により水蒸気となり、体積が瞬間的に千倍以上に膨張されて空気が排除され（即ち、助燃性を備える酸素を隔離する）、酸素が無くなるため火は燃え続けることができなくなる。また、霧状の水は、導電させることがないため、水柱により消火活動を行う従来技術と異なり、軽量で使い易い上、必要な水量が少ない。さらに、発火点に対して消火活動を行う際、水柱のように室内のその他の場所が濡れたり、電気製品に損害を与える虞がない。
【００３４】
図１、図２、図３及び図６を参照する。図１、図２、図３及び図６に示すように、停電が発生して暗闇となった火災現場でも、照明効果が得られるように、本体１に配置された照明装置６は、３６０度回動できるようにしてもよい。
【００３５】
以上、当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３６】
１    本体
２    水タンク
２’  泡タンク
３    柔軟管
４    スプレーガン
５    支持装置
６    照明装置
１１  電動モータ
１２  蓄電体
１３  把手部
１４  車輪
４１  放水スイッチ
４２  ノズル
５１  マイクロスイッチ
Ｆ    発火地点
Ｈ    台所
Ｒ    業務用厨房
Ｐ    独立電源
Ｗ    水道
【図１】
0003164035.tif 000003
【図２】
0003164035.tif 000004
【図３】
0003164035.tif 000005
【図４】
0003164035.tif 000006
【図５】
0003164035.tif 000007
【図６】
0003164035.tif 000008